(57)【特許請求の範囲】
【請求項１】
ファンからなる送風手段と、
所定の位置に配置され、着座者の有無を検知するセンサーと、
前記センサーからの信号を受ける制御部と、
を備える清涼ソファーであって、
着座者の背部を支持する背凭れの背部支持面側の所定部位からやや上方の噴射口から、前記送風手段により発生する風を噴射させ、
前記センサーからの信号を受けた前記制御部が自動で前記送風手段のＯＮとＯＦＦを切り替えるように構成されていて、
前記センサーが該清涼ソファーの座面にかかる重量を検知する重量センサーであり、該重量センサーによって着座者が大人であるか子供であるかを判別し、着座者が大人であるときにのみ前記送風手段をＯＮとするように構成されていることを特徴とする、清涼ソファー。
【請求項２】
ファンからなる送風手段と、
所定の位置に配置され、着座者の有無を検知するセンサーと、
前記センサーからの信号を受ける制御部と、
を備える清涼ソファーであって、
着座者の背部を支持する背凭れの背部支持面側の所定部位からやや上方の噴射口から、前記送風手段により発生する風を噴射させ、
前記センサーからの信号を受けた前記制御部が自動で前記送風手段のＯＮとＯＦＦを切り替えるように構成されていて、
前記センサーが該清涼ソファーの座面からの上方位置を検知する位置センサーであり、該位置センサーによって着座者が大人であるか子供であるかを判別し、着座者が大人であるときにのみ前記送風手段をＯＮとするように構成されていることを特徴とする、清涼ソファー。
【発明の詳細な説明】
【技術分野】
【０００１】
本発明は、着座した人に風を送るための送風機能を備えたソファーに関する。
【背景技術】
【０００２】
空気調和機の発達により、気温が上昇する夏季でも冷房を効かせた室内のソファーなどで快適にくつろげるようになったが、近年、電力需要の高まりによる電力不足や温暖化防止などによるエコ運動などで、室内の冷房設定温度を高に設定して節電する傾向がある。
【０００３】
このことから、ソファーすなわち椅子に着座した人をより快適に過ごさせるため所定の空気調和機を備える椅子もあって（例えば、特許文献１、２参照）、夏季には、空気調和機によって冷却した空気を着座した人に向けて噴射して、この人が椅子で快適に過ごせるようになっている。
【０００４】
しかしながら、室内の冷房設定温度を高に設定して節電していても、椅子に備える空気調和機を運転していればこの空気調和機の熱交換用に電力が消費され、またこの消費される電力も熱交換用の電力であることから、其れ相応の電力が消費されている。
【先行技術文献】
【特許文献】
【０００５】
【特許文献１】特開２００２−３０６２７６号公報
【特許文献２】特開２００６−１０２１９３号公報
【発明の概要】
【発明が解決しようとする課題】
【０００６】
本発明の目的とするところは、電力不足やエコ運動などによって室内の冷房設定温度を高に設定して節電した場合であっても、椅子に空気調和機を設けることなく、ソファーなど椅子に着座する人を快適に過ごさせることができる清涼ソファーを提供できるようにすることにある。
【課題を解決するための手段】
【０００７】
すなわち、本発明は、以下の発明を包含する。
（１）送風手段を備えるソファーであって、該送風手段により発生する風を、着座者の背部を支持する背凭れの背部支持面側の所定部位からやや上方の噴射口から噴射させることを特徴とする清涼ソファー。
（２）噴射させてなる部分がくり抜かれており、且つ噴射口が通気性繊維で覆われていることを特徴とする前記（１）に記載の清涼ソファー。
（３）背凭れの噴射口から首部にかけて連続した溝があることを特徴とする前記（１）又は（２）のいずれに記載の清涼ソファー。
（４）前記溝の幅が８０〜２００ｍｍであり、着座者によって噴射口と空気流路が塞がれることがないことを特徴とする前記（３）に記載の清涼ソファー。
（５）前記送風手段により発生する風量が、１.０〜５.０ｍ３／ｍｉｎである前記（１）〜（４）のいずれか１項に記載の清涼ソファー。
（６）前記通風性繊維が、開口率２５〜６５％の繊維である前記（２）〜（５）のいずれかに記載の清涼ソファー。
【０００８】
上述した課題を解決するために、本発明に係る清涼ソファーは、送風手段を備えるソファーであって、該送風手段により発生する風を、着座者の背部を支持する背凭れの背部支持面側の所定部位からやや上方に噴射させてなるものである。
【０００９】
送風手段とは、ファンによって空気流すなわち風を発生させるもので、市販の部品を組み合わせて構成したり、また、市販の送風装置をそのまま用いてもよい。
【００１０】
勿論、風の強弱などを調節できるようにしてもよく、また、予め設定している送風形態（例えば、風の強弱や送風と停止の繰返し時間など）や着座者の設定による送風形態によって送風の自動運転ができるようにしてもよい。
【００１１】
この送風手段の駆動用電力としては、商用電力だけを用いてもよいが、商用電力に加え、あるいは単独で、一次電池や二次電池を駆動用の電源として使用できるようにしてもよく、さらには、本ソファーの内外に設けるソーラー発電や手廻し発電により得た電力を蓄電して、この電力を駆動用の電源として使用できるようにしてもよい。
【００１２】
そして、送風手段により発生させた風は、背凭れにおける着座者の背部を支持する背部支持面側からやや上方に噴射させるが、風を噴射させる部位すなわち噴射口を設ける部位は、ソファーの形態により座った者に清涼感を与えることが可能な部位に設けるのがよく、例えば、着座者の背中や腰に位置するところに設ければよい。勿論、噴射口は１箇所に限定するものではない。
【００１３】
また、風は一方向への噴射だけではなく、例えば、背凭れ幅の略中央から着座者の両脇方向や両肩方向へ噴射させるようにしてもよい。
【００１４】
そして、着座者が風向きを調節するための調整機構（風向板など）を設けてもよく、例えば、噴射する風の殆どを自分に向かって噴射させたり、あるいは、風を背凭れに沿って流れるように噴射させたりと、前記調整機構によって調整できるようにしてもよい。
【００１５】
ところで、風を発生させるファンは風の噴射口内や空気取入口内に配したり、空気取入口から噴射口間に配した空気路内に配置すればよい。
【００１６】
ファンの風量は特に限定されないが、省エネを目的として使用する場合には、１．０〜５．０ｍ３／ｍｉｎの風量で充分であり、１．５〜３．５ｍ３／ｍｉｎ
の風量であることが好ましい。なお、風量が１．０ｍ３／ｍｉｎ未満の場合は、十分な清涼感が得られないので好ましくない。
【００１７】
風の吹出方法は、ソファーの中にスリットを通す方法や、ソファーの内部をくり抜いて、ソファの表面に通気性に優れる繊維を用いる方法があるが、ソファの内部をくり抜く方法の方が清涼感は良い。
【００１８】
ソファーの内部をくり抜く方法の場合は、ソファー（主に背凭れ）の内部を空洞にし、背中部分の吹出部に通気性に優れる繊維を用いると良い。
【００１９】
また、噴射口が背中部分にある場合は、背凭れの噴射口から首部にかけて連続した溝があることが望ましい。これは、着座者がソファーに深く腰掛けた場合でも、噴射口から首部にかけての空気流路が妨げられず、涼しい風を送り続けることが可能になるためである。
【００２０】
なお、該溝の幅は、５０ｍｍ〜２５０ｍｍが好ましく、８０〜２００ｍｍがより好ましく、１２０〜１６０ｍｍが最も好ましい。５０ｍｍ未満の場合は、背中を流れる溝（空気流路）の幅が狭すぎて十分な清涼感を味わうことができず、２５０ｍｍ以上の場合はやせた人の背中が溝（空気流路）の中に入って、噴射口を塞ぐ可能性があるからである。
【００２１】
通気性に優れる繊維は、開口率（メッシュに占める開口面積（オープニング面積）の割合）は２５〜６５％の繊維が良く、開口率が３０〜５５％の繊維が最も良い。開口率が２５％未満の場合には、風がソファーの外に出にくくなって、充分な清涼感が得られず、また、開口率が６５％を超えると、風の出る部分の布地が少なくなって、座り心地（クッション性）が悪くなるためである。
なお、通気性に優れる繊維として、例えばメッシュ布地が挙げられる。
【００２２】
そして、所定の場所に水や保冷剤などのセット部を設けて、これらによって冷却された空気を噴射させるようにしてもよい。
【００２３】
また、送風手段のＯＮ／ＯＦＦは、ソファーに備えるスイッチを着座者自身が操作してＯＮ／ＯＦＦを行うようにしてもよいが、着座の有無を検知するセンサーによって自動でＯＮ／ＯＦＦさせるようにしてもよい。
【００２４】
この自動で送風手段をＯＮ／ＯＦＦさせる場合は、座面にかかる重量を検知する重量センサーや座面からの上方位置を検知する位置センサーなどによって着座者が大人であるか子供であるかを判別できるようにして、着座者が大人のときだけ送風手段がＯＮするようにしてもよい。
【００２５】
そして、ソファーの着座者に触れる表面素材全体に通気性に優れる繊維、例えばメッシュ素材を用いるのがよい。
【００２６】
本清涼ソファーの構造は、少なくとも座面と背凭れを有する椅子に応用できるものであり、例えば、脚を有する一般的な椅子や和室で使用される座椅子などである。
【発明の効果】
【００２７】
本発明に係る清涼ソファーによれば、該ソファーに備える送風手段で発生させた風を、背凭れにおける例えば着座者の背中に位置する部位からやや上方に噴射させるので、該風がソファーに着座する人の背中から頭部に渡る部位に当って該人の首付近が冷却されるため、節電により冷房設定温度を高に設定している室内でも、該ソファーに着座した人を快適に過ごさせることができる。
【００２８】
また、本清涼ソファーに汗で濡れた衣服を着た人が着座した場合は、噴射する風が汗で濡れた衣服また首や頭部に当たることで生じる気化熱作用によって、該ソファーに着座した人により涼しさを感じさせることができる。
【００２９】
特に、背凭れの噴射口から首部にかけて連続した溝がある清涼ソファーは、背中の部分に噴射口があっても、背中と噴射口の間に空気流路となる溝があるため、着座者が深く腰掛けても、噴射口が塞がる心配がない。また、溝にそって姿勢良く座った場合は、空気流路と背中が一体化するため、噴射口から出る空気の全量がソファー上部の首筋からでることになるため、快適な清涼感を得ることができ、少し暑苦しいロビーでも快適に座っていることができる。
【００３０】
したがって、椅子に空気調和機を設けることなく、ソファーなど椅子に着座する人を快適に過ごさせることができ、しかも、電力を消費する機器は、風を発生させるためのファンを駆動するモータだけなので、非常に大なる節電ができる。
また、設定温度を高めに設定したクーラと併用すれば、大幅な節電が可能になる。
【００３１】
特に、背凭れの噴射口から首部にかけて連続した溝がある清涼ソファーは、背中の部分に噴射口があっても、背中と噴射口の間に空気流路となる溝があるため、着座者が深く腰掛けても、噴射口が塞がる心配がない。また、溝にそって姿勢良く座った場合は、空気流路と背中が一体化するため、噴射口から出る空気の全量がソファー上部の首筋からでることになるため、快適な清涼感を得ることができ、設定温度を高めに設定したロビー等でも快適に座っていることができる。
【図面の簡単な説明】
【００３２】
【図１】清涼ソファーを側面から見る内部構造図（オープン式）。
【図２】清涼ソファー（３人掛）を前面から見る図（オープン式）。
【図３】清涼ソファー（３人掛）を背面から見る図（オープン式）。
【図４】清涼ソファーの全体図（溝式）
【図５】清涼ソファーを側面から見る内部構造図（溝式）。
【図６】清涼ソファーを前面から見る図（溝式）。
【図７】清涼ソファーを背面から見る図（溝式）。
【図８】清涼ソファー（３人掛）を前面から見る図（溝式）。
【図９】清涼ソファー（３人掛）を背面から見る図（溝式）。
【図１０】人が座った場合の空気の流れを示す図（溝式）。
【図１１】清涼ソファーを側面から見る内部構造図（スリット式）。
【図１２】清涼ソファー（３人掛）を前面から見る図（スリット式）。
【図１３】清涼ソファー（３人掛）を背面から見る図（スリット式）。
【図１４】清涼ソファーを側面から見る内部構造図（腰型）。
【図１５】清涼ソファー（３人掛）を前面から見る図（腰型）。
【図１６】清涼ソファー（３人掛）を背面から見る図（腰型）。
【図１７】ソファー形状のバリエーションを示した図(側板を変えたもの)。
【図１８】ソファー形状のバリエーションを示した図（一人用）。
【発明を実施するための形態】
【００３３】
以下、本発明に係る清涼ソファーの実施例を、添付図面に示す具体例に基づいて詳細に説明する。
【００３４】
また、本実施例に示した送風手段は、ソファー内にセットできるバッテリー、あるいは電源から駆動用電力の供給を受けるように構成されているものである。
【００３５】
本清涼ソファーは、図１に示すように、ソファー１内に所定の部品よりなる送風手段を備えていて、この送風手段は、バッテリーの場合は、バッテリー２から供給される一次電圧をトランス３によってファン４を駆動する二次電圧に変換し、この二次電圧でファン４を駆動して背凭れ５の噴射口６から風７をやや上方に噴射するように構成している。また、電源の場合は、電源から直接ファン４を駆動して背凭れ５の噴射口６から風７をやや上方に噴射するように構成している。
【００３６】
また、符合８は着座者の有無を検知するセンサー、符合９はシーケーサーすなわち制御部であって、センサー８からの信号を受けたシーケーサー９が、少なくとも自動で送風手段をＯＮ／ＯＦＦするように構成している。
【００３７】
図１〜図３は、３人掛けの本清涼ソファー（オープン式）の第１実施例を示すものであり、送風手段のファン４（三洋電機株式会社製San Ace 120 最大風量２．４５ｍ３／ｍｉｎ）によって発生させた風の噴射口６を、背凭れ５における着座者のほぼ背中に位置するところに設けたものである。符合１０は、人が着座するクッションである。
なお、第１実施例の清涼ソファーは、図１、２に示すように、背凭れ５内の風の通る部分をくり抜いてあり、清涼ソファーにおける噴射口６は、図２のように、メッシュ１１ａ（旭化成ホームプロダクツ株式会社製  サランネット  品番811（ハニカム型）、開口率３２．５％）を設けている。
【００３８】
そして、図３に示すように、背凭れ５の背面には空気取入口１２を設けていて、この空気取入口１２には保護部材たるハンチング１３を設けている。
この第１実施例の清涼ソファーは、適度の風が背中位置からやや上に向かって噴出しているので、とても良い清涼感があり、首筋が涼しくなって心地よかった。
【００３９】
図４〜１０は、背中部分に溝のある清涼ソファー（溝式）の第２実施例を示すものであり、送風手段のファン４（三洋電機株式会社製San Ace 120 最大風量２．４５ｍ３／ｍｉｎ）によって発生させた風の噴射口６を、背凭れ５の溝部分の内部における着座者のほぼ背中に位置するところに設けたものである。第２実施例では、図４の溝１６の幅を１４０ｍｍ、奥行（深さ）を５０ｍｍに設定した。
そして、第２実施例の清涼ソファーは、図５に示すように、背凭れ５内の風の通る部分をくり抜いてあり、清涼ソファーにおける噴射口６は、図６のように、メッシュ１１ａ（旭化成ホームプロダクツ株式会社製  サランネット  品番811（ハニカム型）、開口率３２．５％）を設けている。
【００４０】
この実施例２の清涼ソファーは、図１０に示すように、人がソファーに深く腰掛けても、図１に示す溝が塞がれる心配がなく、適度の風が常時背中位置から首筋にかけてながれているので、とても良い清涼感があり、首筋が涼しくなって心地よかった。
【００４１】
なお、第１実施例の清涼ソファー（オープン式）と、後述する第３実施例の清涼ソファー（スリット式）は、背中部分にある風の噴射口６（オープン式、スリット式）を背中で覆うと風の吹出量が減少したり、風の吹出が止まってしまう場合があったが、第２実施例の清涼ソファー（溝式）は、人が深く腰掛けても溝１６が塞がれることがない。また、深く腰掛けると、背中と溝１６が一体化され、噴射口６から出る空気の全量が該ソファー上部（首筋）から出るようになるため、首筋にかけての清涼感が増し、設定温度の高い室内でもゆったりと過ごすことができる。
【００４２】
図１１〜図１３は、３人掛けの本清涼ソファーの第３実施例を示すものであり、送風手段のファン４（三洋電機株式会社製San Ace 120 最大風量２．４５ｍ３／ｍｉｎ）によって発生させた風の噴射口６を、背凭れ５における着座者のほぼ背中に位置するところに設けたものである。符合１０は、人が着座するクッションである。
なお、第３実施例の清涼ソファーにおける噴射口６は、図１２のように、スリット１１にしている。
【００４３】
そして、図１３に示すように、背凭れ５の背面には空気取入口１２を設けていて、この空気取入口１２には保護部材たるハンチング１３を設けている。
また、符合１４は、バッテリー２を取り出す際に開閉する開閉ドアである。
【００４４】
また、図１４〜図１６は、３人掛けの本清涼ソファーの第４実施例を示すものであり、送風手段のファン４（三洋電機株式会社製San Ace 120 最大風量２．４５ｍ３／ｍｉｎ）によって発生させた風の噴射口６を、背凭れ５における着座者のほぼ腰に位置するところに設けたものである。符合１５は、ソファーの両側に設けている側板である。
なお、第４実施例の清涼ソファーにおける噴射口６は、図１５のように、メッシュ１１ａ（旭化成ホームプロダクツ株式会社製  サランネット  品番811（ハニカム型）、開口率３２．５％）にしている。
【００４５】
そして、図１６に示すように、背凭れ５の背面には空気取入口１２を設けていて、この空気取入口１２には保護部材たるハンチング１３を設けている。
また、符合１４は、バッテリー２を取り出す際に開閉する開閉ドアである。
【００４６】
また、図１７、図１８はソファー形状のバリエーションを示していて、図１７は、図１４〜図１６に示した３人掛け清涼ソファーにおける側板１５の形態を変えたものを示し、図１８は、図１７に示した３人掛け清涼ソファーの１人掛け用の清涼ソファーを示している。
なお、図１７、図１８の清涼ソファーを側面から見る（ａ）図は、図を見易くするために清涼ソファーを前面から見る（ｂ）図および背面から見る（ｃ）図よりも拡大した図にしている。
【符号の説明】
【００４７】
１  ソファー
２  バッテリー
３  トランス
４  ファン
５  背凭れ
６  噴射口
７  風
８  センサー
９  シーケーサー
１０  クッション
１１  スリット
１１ａ  メッシュ
１２  空気取入口
１３  ハンチング
１４  開閉ドア
１５  側板
１６  溝
１７  トランス３とシーケンサー９
【図１】
0005894748.tif 000002
【図２】
0005894748.tif 000003
【図３】
0005894748.tif 000004
【図４】
0005894748.tif 000005
【図５】
0005894748.tif 000006
【図６】
0005894748.tif 000007
【図７】
0005894748.tif 000008
【図８】
0005894748.tif 000009
【図９】
0005894748.tif 000010
【図１０】
0005894748.tif 000011
【図１１】
0005894748.tif 000012
【図１２】
0005894748.tif 000013
【図１３】
0005894748.tif 000014
【図１４】
0005894748.tif 000015
【図１５】
0005894748.tif 000016
【図１６】
0005894748.tif 000017
【図１７】
0005894748.tif 000018
【図１８】
0005894748.tif 000019